(57)【要約】【課題】誤り訂正能力がより高い符号化方式が採用された場合であっても、通信状況に応じた適切な情報を提供することができる信号処理装置、信号処理システム、信号処理方法、および信号処理用プログラムを提供する。【解決手段】復号部２２が、入力された復号対象のデータに復号処理を施して第１の処理結果と第２の処理結果とを算出する。情報提供部２６が、復号部２２による復号処理による第１の処理結果に応じて通信状況を示す情報を提供する。また、第１の処理結果は、第２の処理結果と比べて、より早く通信状況の悪化に反応する。そして、第２の処理結果は、第１の処理結果と比べて、より高い能力の誤り訂正処理が施された結果であり、データの復号結果として用いられる。【選択図】      図５
2019140461.tif 000002
【特許請求の範囲】
【請求項１】
入力された復号対象のデータに復号処理を施して第１の処理結果と第２の処理結果とを算出する復号手段と、
前記復号手段における前記復号処理による前記第１の処理結果に応じて通信状況を示す情報を提供する情報提供手段とを備え、
前記第１の処理結果は、前記第２の処理結果と比べて、より早く通信状況の悪化に反応し、
前記第２の処理結果は、前記第１の処理結果と比べて、より高い能力の誤り訂正処理が施された結果であり、前記データの復号結果として用いられる
ことを特徴とする信号処理装置。
【請求項２】
前記復号手段は、ＬＤＰＣ符号に基づく前記データに復号処理を施す
請求項１に記載の信号処理装置。
【請求項３】
前記第１の処理結果は、前記復号手段が前記復号処理における積和アルゴリズムに基づく処理を第１の所定回数繰り返し行った結果であり、
前記第２の処理結果は、前記復号手段が前記復号処理における前記積和アルゴリズムに基づく処理を第１の所定回数よりも多い第２の所定回数繰り返し行った結果である
請求項２に記載の信号処理装置。
【請求項４】
前記情報提供手段は、前記第１の処理結果に応じたビット誤り率を算出し、算出結果に応じて前記情報を提供する
請求項１から請求項３のうちいずれか１項に記載の信号処理装置。
【請求項５】
前記情報提供手段は、前記第１の処理結果に応じて、表示態様を変化させる表示処理を行う
請求項１から請求項４のうちいずれか１項に記載の信号処理装置。
【請求項６】
前記情報提供手段は、前記第１の処理結果に応じて、点灯する範囲を変化させる表示処理を行う
請求項５に記載の信号処理装置。
【請求項７】
請求項１から請求項６のうちいずれか１項に記載の信号処理装置と、
前記信号処理装置によって復号される前記データに符号化する符号化処理装置とを備えた
ことを特徴とする信号処理システム。
【請求項８】
入力された復号対象のデータに復号処理を施して第１の処理結果と第２の処理結果とを算出する復号ステップと、
前記復号ステップにおける前記復号処理による前記第１の処理結果に応じて通信状況を示す情報を提供する情報提供ステップとを含み、
前記第１の処理結果は、前記第２の処理結果と比べて、より早く通信状況の悪化に反応し、
前記第２の処理結果は、前記第１の処理結果と比べて、より高い能力の誤り訂正処理が施された結果であり、前記データの復号結果として用いられる
ことを特徴とする信号処理方法。
【請求項９】
コンピュータに、
入力された復号対象のデータに復号処理を施して第１の処理結果と第２の処理結果とを算出する復号実行処理と、
前記復号実行処理における前記復号処理による前記第１の処理結果に応じて通信状況を示す情報を提供する情報提供処理とを実行させ、
前記第１の処理結果は、前記第２の処理結果と比べて、より早く通信状況の悪化に反応し、
前記第２の処理結果は、前記第１の処理結果と比べて、より高い能力の誤り訂正処理が施された結果であり、前記データの復号結果として用いられる
ことを特徴とする信号処理用プログラム。
【発明の詳細な説明】
【技術分野】
【０００１】
本発明は、符号化されて送受信されたデータを復号する信号処理装置、信号処理システム、信号処理方法、および信号処理用プログラムに関する。
【背景技術】
【０００２】
放送局外から放送局に、映像や音声等の放送用素材を伝送するＦＰＵ（Ｆｉｅｌｄ  Ｐｉｃｋｕｐ  Ｕｎｉｔ：Ｍｉｃｒｏｗａｖｅ  Ｌｉｎｋともいう）送信機がある。また、放送局外から送信された放送用素材を受信するＦＰＵ受信機がある。
【０００３】
ＦＰＵ受信機には、ＦＰＵ送信機から送信された信号の受信状況（通信状況であってもよい）を表示するための表示手段が設けられている。なお、受信状況は、一般に、受信したデータのビット誤り率（ＢＥＲ：Ｂｉｔ  Ｅｒｒｏｒ  Ｒａｔｅ）に応じて示される。放送事業の従事者は、複数のＦＰＵ受信機のそれぞれの表示手段に表示されている受信状況に応じて、採用する放送用素材を切り替える。
【０００４】
ＦＰＵ送信機とＦＰＵ受信機との間の通信では、誤り訂正のために内符号としてＬＤＰＣ（低密度パリティ検査：Ｌｏｗ  Ｄｅｎｓｉｔｙ  Ｐａｒｉｔｙ  Ｃｈｅｃｋ）符号が用いられる。また、ＦＰＵ送信機とＦＰＵ受信機との間の通信では、誤り訂正のために外符号として、例えば、ＢＣＨ符号が用いられる。
【０００５】
特許文献１には、ＬＤＰＣ符号に基づきデータの誤りが訂正された後のビット誤り率と、Ｃ／Ｎ比（Ｃａｒｒｉｅｒ  ｔｏ  Ｎｏｉｓｅ  Ｒａｔｉｏ）の値との関係が示されている。
【先行技術文献】
【特許文献】
【０００６】
【特許文献１】特開２０１０−０５０５５８号公報
【発明の概要】
【発明が解決しようとする課題】
【０００７】
特許文献１の図９に示すように、ＬＤＰＣ符号に基づく誤り訂正が採用された場合に、ビット誤り率は、受信状況が所定の状況よりも良好でＣ／Ｎ比の値が所定の値以上の場合には低い値に抑えられるが、受信状況が所定の状況よりも悪化してＣ／Ｎ比の値が所定の値未満になった場合に急激に上昇する。そして、内符号であるＬＤＰＣ符号に基づく誤り訂正が行われた後のビット誤り率が所定の値よりも高い値になると、外符号に基づいて十分に誤り訂正を行うことができず、その後の復号処理で適切な映像を再生することが困難になりうる。
【０００８】
したがって、ＦＰＵ受信機における受信状況が所定の状況よりも悪化した場合に、ビット誤り率が急激に上昇して、その後の復号処理で適切な映像を再生することが困難になりうる。
【０００９】
そうすると、ＦＰＵ受信機が受信したデータのビット誤り率に基づいて受信状況が悪化したことを表示手段に示しても、放送に採用する放送用素材を切り替える間もなく映像の再生が適切に行われなくなってしまうおそれがある。
【００１０】
つまり、誤り訂正能力がより高い符号化方式が採用された場合に、受信されたデータのビット誤り率に基づいて受信状況が悪化したことが報知されても、採用する放送用素材を切り替える間もなく映像の再生が適切に行われなくなってしまうおそれがある。
【００１１】
そこで、本発明は、誤り訂正能力がより高い符号化方式が採用された場合であっても、通信状況に応じた適切な情報を提供することができる信号処理装置、信号処理システム、信号処理方法、および信号処理用プログラムを提供することを目的とする。
【課題を解決するための手段】
【００１２】
本発明による信号処理装置は、入力された復号対象のデータに復号処理を施して第１の処理結果と第２の処理結果とを算出する復号手段と、復号手段における復号処理による第１の処理結果に応じて通信状況を示す情報を提供する情報提供手段とを備え、第１の処理結果は、第２の処理結果と比べて、より早く通信状況の悪化に反応し、第２の処理結果は、第１の処理結果と比べて、より高い能力の誤り訂正処理が施された結果であり、データの復号結果として用いられることを特徴とする。
【００１３】
本発明による信号処理システムは、いずれかの態様の信号処理装置と、当該信号処理装置によって復号されるデータに符号化する符号化処理装置とを備えたことを特徴とする。
【００１４】
本発明による信号処理方法は、入力された復号対象のデータに復号処理を施して第１の処理結果と第２の処理結果とを算出する復号ステップと、復号ステップにおける復号処理による第１の処理結果に応じて通信状況を示す情報を提供する情報提供ステップとを含み、第１の処理結果は、第２の処理結果と比べて、より早く通信状況の悪化に反応し、第２の処理結果は、第１の処理結果と比べて、より高い能力の誤り訂正処理が施された結果であり、データの復号結果として用いられることを特徴とする。
【００１５】
本発明による信号処理用プログラムは、コンピュータに、入力された復号対象のデータに復号処理を施して第１の処理結果と第２の処理結果とを算出する復号実行処理と、復号実行処理における復号処理による第１の処理結果に応じて通信状況を示す情報を提供する情報提供処理とを実行させ、第１の処理結果は、第２の処理結果と比べて、より早く通信状況の悪化に反応し、第２の処理結果は、第１の処理結果と比べて、より高い能力の誤り訂正処理が施された結果であり、データの復号結果として用いられることを特徴とする。
【発明の効果】
【００１６】
本発明によれば、誤り訂正能力がより高い符号化方式が採用された場合であっても、通信状況に応じた適切な情報を提供することができる。
【図面の簡単な説明】
【００１７】
【図１】第１の実施形態の送受信システムの構成例を示すブロック図である。
【図２】第１の実施形態の受信制御部の構成例を示すブロック図である。
【図３】第１の実施形態における送信制御部のＬＤＰＣ復号処理部、ビット誤り率算出部および表示部の動作を示すフローチャートである。
【図４】ビット誤り率および表示処理の結果と、Ｃ／Ｎ比との関係を示す説明図である。
【図５】第２の実施形態の信号処理装置の構成例を示すブロック図である。
【発明を実施するための形態】
【００１８】
実施形態１．
本発明の第１の実施形態の送受信システム（信号処理システム）について、図面を参照して説明する。図１は、本発明の第１の実施形態の送受信システムの構成例を示すブロック図である。
【００１９】
図１に示すように、第１の実施形態の送受信システムは、送信機（符号化処理装置）１００と受信機（信号処理装置）２００とを含む。
【００２０】
図１に示すように、送信機１００は、送信制御部１１０と送信高周波部１３０とを含む。送信高周波部１３０には、送信用アンテナ３１１が接続されている。
【００２１】
送信制御部１１０は、例えば、コーデックや再多重化器、符号化器等から入力されたＴＳパケットに所定の処理を施し、ＩＦ（Ｉｎｔｅｒｍｅｄｉａｔｅ  Ｆｒｅｑｕｅｎｃｙ）信号を生成する。送信高周波部１３０は、送信制御部１１０が生成したＩＦ信号に、送信用の周波数の送信用信号に変換して増幅する処理を施してＲＦ（Ｒａｄｉｏ  Ｆｒｅｑｕｅｎｃｙ）信号にする。そして、送信高周波部１３０は、当該ＲＦ信号を送信用アンテナ３１１に入力する。ＲＦ信号は、送信用アンテナ３１１によって送信される。
【００２２】
図１に示すように、受信機２００は、受信高周波部２３０と、受信制御部２１０とを含む。受信高周波部２３０には受信用アンテナ３２１が接続されている。
【００２３】
送信用アンテナ３１１によって送信されたＲＦ信号は、受信用アンテナ３２１によって受信されて受信高周波部２３０に入力される。
【００２４】
受信高周波部２３０は、入力されたＲＦ信号に周波数変換を施してＩＦ信号にする。受信制御部２１０は、当該ＩＦ信号に所定の処理を施し、ＴＳパケットを生成する。そして、受信制御部２１０は、生成したＴＳパケットを復号器等５００に入力する。
【００２５】
送信用アンテナ３１１と受信用アンテナ３２１とは、互いに対応するように設置されている。そして、送信用アンテナ３１１によって送信された信号が受信用アンテナ３２１によって受信される。
【００２６】
図２は、第１の実施形態の受信制御部２１０の構成例を示すブロック図である。図２に示すように、受信制御部２１０は、直交復調処理部２１１、ガードインタバル除去処理部２１２、ＦＦＴ（Ｆａｓｔ  Ｆｏｕｒｉｅｒ  Ｔｒａｎｓｆｏｒｍ）処理部２１３、等化処理部２１４、時間デインタリーブ処理部２１５、周波数デインタリーブ処理部２１６、ＬＬＲ（Ｌｏｇ  Ｌｉｋｅｌｉｈｏｏｄ  Ｒａｔｉｏ）算出部２１７、デマッピング処理部２１８、ビットデインタリーブ処理部２１９、ＬＤＰＣ復号処理部２２０、エネルギー逆拡散処理部２２１、ＢＣＨ復号処理部２２２、簡易デスクランブル処理部２２３、ＴＳパケット抽出処理部２２４、ビット誤り率算出部２２５、および表示部２２６を含む。
【００２７】
なお、受信制御部２１０において、直交復調処理部２１１、ガードインタバル除去処理部２１２、ＦＦＴ処理部２１３、等化処理部２１４、時間デインタリーブ処理部２１５、周波数デインタリーブ処理部２１６、ＬＬＲ算出部２１７、デマッピング処理部２１８、ビットデインタリーブ処理部２１９、ＬＤＰＣ復号処理部２２０、エネルギー逆拡散処理部２２１、ＢＣＨ復号処理部２２２、簡易デスクランブル処理部２２３、ＴＳパケット抽出処理部２２４、およびビット誤り率算出部２２５は、例えば、プログラム制御に従って処理を実行するプロセッサや複数の回路によって実現される。また、情報提供手段は、ビット誤り率算出部２２５および表示部２２６に対応する。
【００２８】
直交復調処理部２１１には、受信用アンテナ３２１によって受信されたＲＦ信号に基づくＩＦ信号が受信高周波部２３０から入力される。ガードインタバル除去処理部２１２は、送信側で付加されたガードインタバルを除去する。ＦＦＴ処理部２１３は、ガードインタバル除去処理部２１２によってガードインタバルが除去された時間領域の信号にＦＦＴ処理を施し、周波数領域の信号を得る。
【００２９】
等化処理部２１４は、ＦＦＴ処理部２１３が得た周波数領域の信号に等化処理を施して、送信機１００が送信してから受信機２００が受信するまでに生じた歪みを補償する。
【００３０】
時間デインタリーブ処理部２１５は、送信側でキャリアごとに異なる遅延時間が与えられ、等化処理部２１４が等化処理を施した信号に、与えられた当該遅延時間に応じて、例えば、各キャリアの遅延時間を調整して互いに同期させる。
【００３１】
周波数デインタリーブ処理部２１６は、送信側で行われたインタリーブの処理で用いられた所定のインタリーブ関数Ｆ（ｉ）に応じて、等化処理部２１４が入力した信号にデインタリーブの処理を施す。具体的には、例えば、所定のデインタリーブ関数Ｆ−１（ｉ）を用いてデインタリーブの処理が行われる。所定のデインタリーブ関数Ｆ−１（ｉ）は、擬似ランダムに入れ替えられたインタリーブ後のキャリア位置とインタリーブ前のデータキャリア位置（ｉ）との関係を示す関数である。
【００３２】
そして、周波数デインタリーブ処理部２１６は、インタリーブ前の位置（ｉ）のデータキャリアに割り当てられたデータワードをデータキャリア番号の小さい順に読み出す。
【００３３】
ＬＬＲ算出部２１７は、周波数デインタリーブ処理部２１６が読み出したデータワードの対数尤度比を算出する。なお、対数尤度比の算出には、例えば、既知の方法が用いられる。
【００３４】
デマッピング処理部２１８は、算出された対数尤度比の値に基づいて、シンボルをデータワードに変換する。
【００３５】
ビットデインタリーブ処理部２１９は、デマッピング処理部２１８によってシンボルが変換されたデータワードに、ビットデインタリーブ処理を施す。ビットデインタリーブ処理では、送信側でビットインタリーブの処理が施されたことによって変換されたビットの順番が逆変換されて、ＦＥＣブロックが復元される。
【００３６】
具体的には、ビットデインタリーブ処理部２１９は、例えば、パリティインタリーブとして、所定の手順で変えられた、内符号パリティ部分のビットの順番を復元する。また、ビットデインタリーブ処理部２１９は、例えば、ブロックインタリーブとして、変えられたビットの順番を復元する。すると、ＦＥＣブロックが構成される。
【００３７】
ＬＤＰＣ復号処理部２２０は、ビットデインタリーブ処理部２１９によってビットデインタリーブ処理が施されたビット列に、ＬＤＰＣ符号の復号の処理を施す。本例では、ＬＤＰＣ復号処理部２２０において、積和アルゴリズムに基づく復号法が採用されているとする。より具体的には、ＬＤＰＣ復号処理部２２０は、例えば、初期化処理後に、積和アルゴリズムに基づいて、パリティ検査行列における行処理と列処理（以下、積和アルゴリズムに基づく処理という）とを行う。また、ＬＤＰＣ復号処理部２２０は、例えば、積和アルゴリズムに基づく処理を第１の所定回数（本例では１回）行った場合の処理結果（第１の処理結果）を算出する。さらに、ＬＤＰＣ復号処理部２２０は、例えば、積和アルゴリズムに基づく処理を第２の所定回数（本例では４０回）繰り返し行った場合の処理結果（第２の処理結果）を算出する。ここで、第１の処理結果および第２の処理結果はそれぞれ推定語である。
【００３８】
なお、ＬＤＰＣ復号処理部２２０は、ＦＥＣブロックにおいてＬＤＰＣ符号パリティが格納されている領域に格納されているＬＤＰＣ符号パリティに基づいて、ＦＥＣブロックにおいて複数のＴＳパケットが格納されている主信号部等にＬＤＰＣ符号の復号の処理を施す。
【００３９】
エネルギー逆拡散処理部２２１は、ＬＤＰＣ復号処理部２２０が主信号部等にＬＤＰＣ符号の復号の処理を施した第２の処理結果のＦＥＣブロックの構成要素のうち、例えば、ブロックヘッダ、主信号、ＢＣＨ符号パリティ、およびスタッフビットに対してエネルギー逆拡散の処理を施す。そして、エネルギー逆拡散処理部２２１は、処理後のＦＥＣブロックをＢＣＨ復号処理部２２２に入力する。
【００４０】
なお、エネルギー逆拡散処理部２２１がＦＥＣブロックに施すエネルギー逆拡散の処理は、送信側で当該ＦＥＣブロックに施されたエネルギー拡散処理に応じた処理である。
【００４１】
ＢＣＨ復号処理部２２２は、エネルギー逆拡散処理部２２１が入力したＦＥＣブロックにおけるＢＣＨ符号パリティの領域に格納されているパリティビットに基づいて、当該ＦＥＣブロックの構成要素のうち、例えば、複数のＴＳパケットが格納されている主信号部について、誤り訂正の処理を施す。
【００４２】
簡易デスクランブル処理部２２３は、ＢＣＨ復号処理部２２２が誤り訂正の処理を施した主信号部を含むＦＥＣブロックに施されているスクランブル処理に応じて、当該ＦＥＣブロックにデスクランブル処理を施す。そして、簡易デスクランブル処理部２２３は、デスクランブル処理を施したＦＥＣブロックをＴＳパケット抽出処理部２２４に入力する。
【００４３】
なお、ＦＰＵは、信号を受けるために方向調整を必要とする等、秘匿性を持たせる必要性が低いため、簡易デスクランブル処理部２２３は、必要に応じて設けられる。簡易デスクランブル処理部２２３が設けられなかった場合に、ＢＣＨ復号処理部２２２が誤り訂正の処理を施した主信号部を含むＦＥＣブロックはＴＳパケット抽出処理部２２４に入力される。
【００４４】
ＴＳパケット抽出処理部２２４は、入力されたＦＥＣブロックにおける主信号部に格納されている複数のＴＳパケットをそれぞれ抽出（生成）する。
【００４５】
ビット誤り率算出部２２５は、ＬＤＰＣ復号処理部２２０における第１の処理結果に基づいて、第１の処理結果の推定語のビット誤り率を算出する。
【００４６】
表示部２２６は、ビット誤り率算出部２２５が算出したビット誤り率に応じた表示処理を行う。具体的には、表示部２２６は、例えば、１２の範囲に分割された表示領域２２７を含み、表示処理では、第１の表示領域から第１２の表示領域のそれぞれを点灯または消灯させる。
【００４７】
より具体的には、表示部２２６は、例えば、ビット誤り率算出部２２５が算出したビット誤り率の値がより大きい場合に、第１の表示領域から順により多くの表示領域に応じたＬＥＤ（Ｌｉｇｈｔ  Ｅｍｉｔｔｉｎｇ  Ｄｉｏｄｅ）等の発光素子を点灯させる。また、表示部２２６は、例えば、ビット誤り率算出部２２５が算出したビット誤り率の値がより小さい場合に、第１の表示領域から順により少ない表示領域に応じたＬＥＤを点灯させる。なお、表示領域に応じたＬＥＤを点灯させることを、単に、表示領域を点灯させるともいう。なお、表示部２２６は、有機ＥＬ（Ｅｌｅｃｔｒｏ  Ｌｕｍｉｎｅｓｃｅｎｃｅ）や無機ＥＬ、液晶等の他の表示手段によって実現されてもよい。
【００４８】
次に、本発明の第１の実施形態における受信制御部２１０の動作について説明する。図３は、本発明の第１の実施形態における受信制御部２１０のＬＤＰＣ復号処理部２２０、ビット誤り率算出部２２５および表示部２２６の動作を示すフローチャートである。
【００４９】
図３に示すように、受信制御部２１０のＬＤＰＣ復号処理部２２０は、例えば、プロセッサに設けられている処理回数カウンタの値ｎを０にセットする（ステップＳ１０１）。そして、ＬＤＰＣ復号処理部２２０は、積和アルゴリズムに基づく復号処理を行い（ステップＳ１０２）、処理回数カウンタの値ｎに１を加える（ステップＳ１０３）。
【００５０】
ビット誤り率算出部２２５は、ステップＳ１０１の処理回数が１回目である場合に、つまり、処理回数カウンタの値ｎが１である場合に（ステップＳ１０４のＹ）、当該ステップＳ１０１の処理結果である第１の処理結果に基づいて、第１の処理結果の推定語のビット誤り率を算出する（ステップＳ１０５）。そして、表示部２２６が、表示領域２２７において、ビット誤り率算出部２２５が算出したビット誤り率に応じた表示領域を点灯させ（ステップＳ１０６）、ステップＳ１０１の処理に移行する。つまり、表示部２２６は、第１の処理結果に応じた表示処理を行う。
【００５１】
ＬＤＰＣ復号処理部２２０は、ステップＳ１０１の処理回数が１回目でなく（ステップＳ１０４のＮ）、４０回目でもない場合に（ステップＳ１０７のＮ）、ステップＳ１０１の処理に移行する。したがって、積和アルゴリズムに基づく復号処理が４０回繰り返される。
【００５２】
ＬＤＰＣ復号処理部２２０は、ステップＳ１０１の処理回数が１回目でなく（ステップＳ１０４のＮ）、４０回目である場合に（ステップＳ１０７のＹ）、第２の処理結果を算出したことになる。そこで、ＬＤＰＣ復号処理部２２０は、ＬＤＰＣ符号の復号の処理を終了する。すると、第２の処理結果に基づいて、エネルギー逆拡散処理部２２１からＴＳパケット抽出処理部２２４までの各部において、後続する各処理が既知の技術に基づいて行われる。
【００５３】
図４は、ビット誤り率および表示処理の結果と、Ｃ／Ｎ比との関係を示す説明図である。図４には、第１の処理結果の推定語のビット誤り率が実線で示され、第２の処理結果の推定語のビット誤り率が点線で示されている。また、図４には、映像を適切に再生可能なビット誤り率の値（以下、限界値という）と、当該値に応じたＣ／Ｎ比の値とが破線で示されている。したがって、第２の処理結果の推定語のビット誤り率の値が限界値以下であれば、さらに当該推定語に外符号に基づく誤り訂正処理が施されることにより、映像が適切に再生される。また、図４における左側には、表示領域２２７が示され、図４においては下方から上方に向かって、第１〜第１２の表示領域が並設されることが示されている。なお、図４には、下方から順に、第１〜第７の表示領域がそれぞれ横線で示された領域であり、第８〜第１０の表示領域がそれぞれ縦線で示された領域であり、第１１〜第１２の表示領域がそれぞれ網掛けで示された領域であるように例示されている。
【００５４】
図４に示すように、Ｃ／Ｎ比の値がｖ１以上になる通信状況では、第１の処理結果および第２の処理結果のいずれに基づく推定語も、ビット誤り率は限界値未満であるので、映像が適切に再生される。また、図４には、Ｃ／Ｎ比の値がｖ１以上になる通信状況では、第１の処理結果の推定語のビット誤り率はＣ／Ｎ比の値の減少に応じて緩やかに上昇することが示され、第２の処理結果の推定語のビット誤り率は下限値に維持される。したがって、通信状況が悪化した場合に、第１の処理結果の推定語のビット誤り率の緩やかな上昇に応じて、点灯する表示領域２２７の数が、第１の表示領域から第１０の表示領域までの範囲で緩やかに増加する。通信状況が改善した場合に、第１の処理結果の推定語のビット誤り率の緩やかな下降に応じて、点灯する表示領域２２７の数が、第１の表示領域から第１０の表示領域までの範囲で緩やかに減少する。
【００５５】
また、図４に示すように、Ｃ／Ｎ比の値がｖ３以上ｖ１未満になる通信状況では、第１の処理結果に基づく推定語のビット誤り率の値は限界値以上になるので、第１の処理結果に基づく推定語に基づいて映像を適切に再生することができない。したがって、第１の処理結果の推定語のビット誤り率の変化に応じて、点灯する表示領域２２７が、第１の表示領域から第１１の表示領域まで、および第１の表示領域から第１２の表示領域までのうちいずれかの状態に変化する。
【００５６】
しかし、図４に示すように、当該通信状況において、第２の処理結果に基づく推定語のビット誤り率の値は限界値未満であるので、第２の処理結果に基づく推定語に基づいて映像を適切に再生することができる。また、図４には、Ｃ／Ｎ比の値がｖ３以上ｖ１未満になる通信状況においてＣ／Ｎ比の値がｖ３以上ｖ１未満の値であるｖ２未満になると、第２の処理結果の推定語のビット誤り率が急激に上昇することが示されている。
【００５７】
図４に示すように、Ｃ／Ｎ比の値がｖ３未満になる通信状況では、第１の処理結果および第２の処理結果のいずれに基づく推定語も、ビット誤り率は限界値以上であるので、映像が適切に再生されない。
【００５８】
ここで、例えば、第２の処理結果の推定語のビット誤り率の変化に応じて点灯する表示領域２２７の数を変化させるように構成された場合には、Ｃ／Ｎ比の値がｖ２以上で通信状況が変化しても表示領域２２７における表示態様は変化せず、Ｃ／Ｎ比の値がｖ２未満の通信状況になると、第２の処理結果の推定語のビット誤り率が急激に上昇することに応じて、点灯する表示領域２２７の数が急激に増加することになる。そして、通信状況がさらに悪化した場合に、ビット誤り率が限界値以上になり、映像が適切に再生されなくなる。
【００５９】
つまり、第２の処理結果の推定語のビット誤り率の変化に応じて点灯する表示領域２２７の数を変化させるように構成された場合には、通信状況が悪化しているときに、通信状況が悪化したことに応じた情報の提供を開始するとまもなく映像が適切に再生されなくなってしまう。
【００６０】
それに対して、本例では、第１の処理結果の推定語のビット誤り率の変化に応じて点灯する表示領域２２７の数を変化させて表示態様を変化させ、通信状況の情報を提供するように構成されているので、通信状況が悪化しているときに、通信状況が悪化したことに応じた情報を提供してから映像が適切に再生されなくなるまでの対処の猶予を作業者に与えることができる。
【００６１】
本実施形態によれば、ＬＤＰＣ復号処理部２２０が、積和アルゴリズムに基づく処理を第１の所定回数（本例では１回）行った結果である第１の処理結果を算出する。ビット誤り率算出部２２５が、第１の処理結果に基づいて、第１の処理結果の推定語のビット誤り率を算出する。そして、表示部２２６が、ビット誤り率算出部２２５が算出したビット誤り率に応じた表示処理を行って、通信状況に応じた情報を提供する。
【００６２】
前述したように、通信状況が悪化した場合に、第１の処理結果に基づいて、点灯する表示領域２２７の数が緩やかに増加する。したがって、通信状況に応じて適切な情報を提供することができる。
【００６３】
また、本実施形態によれば、ＬＤＰＣ復号処理部２２０が、積和アルゴリズムに基づく処理を第２の所定回数（本例では４０回）行った結果である第２の処理結果を算出する。そして、第２の処理結果に基づいて、エネルギー逆拡散処理部２２１からＴＳパケット抽出処理部２２４までの各部において、後続する各処理が行われ、映像が適切に再生される。
【００６４】
したがって、映像を適切に再生することができる。
【００６５】
よって、映像を適切に再生しつつ、通信状況の悪化に応じて、再生される映像が劣化する以前から適切な情報を提供することができる。
【００６６】
なお、本例では、表示部２２６が、通信状況に応じた数の表示領域を点灯させて通信状況を報知するように構成されているが、通信状況の報知方法は他の方法であってもよい。具体的には、例えば、音声や音色等の音で通信状況を報知するように構成されていてもよい。また、表示領域を点灯色によって通信状況を報知するように構成されていてもよいし、通信状況を数字や文字、符号、記号、標識等の情報で示すように構成されていてもよい。
【００６７】
また、本例では、第１の所定回数が１回であるとして説明したが、第１の所定回数は、第２の所定回数よりも少なければ２回以上の回数であってもよい。本例では、第２の所定回数が４０回であるとして説明したが、第２の所定回数は、第１の所定回数よりも多ければ４０回未満の回数や、４１回以上の回数であってもよい。
【００６８】
本例では、表示部２２６が、第１の処理結果に応じた表示処理を行うように構成されているが、表示部２２６に第２の処理結果に応じた表示領域が設けられ、第２の処理結果に応じた表示処理も行うように構成されていてもよい。そのように構成される場合には、例えば、ビット誤り率算出部２２５が、第２の処理結果の推定語のビット誤り率を算出し、表示部２２６が、当該算出の結果に応じた表示処理を第２の処理結果に応じた表示領域において行う。そのような構成によれば、第１の処理結果に応じた、再生される映像が劣化することを未然に防ぐための情報と、第２の処理結果に応じた、実際に再生される映像に用いられるデータについての情報との両方を提供することができる。
【００６９】
本例では、ＬＤＰＣ符号の復号処理において積和アルゴリズムが繰り返されることを利用して、第１の処理結果に基づいて通信状況の情報を提供するように構成されているが、ターボ符号等の他の符号の復号処理に適用されてもよい。具体的には、例えば、ターボ符号の復号処理における繰り返し処理の回数が、再生される映像のデータに施される回数よりも少ない回数であるときのデータに基づいて、通信状況の情報を提供するように構成されていてもよい。
【００７０】
本例では、表示部２２６が、第１の処理結果に応じて算出されたビット誤り率に応じて表示態様を異ならせて通信状況を報知するように構成されているが、表示部２２６が、第１の処理結果に応じて算出された、ＭＥＲ（Ｍｏｄｕｒａｔｉｏｎ  Ｅｒｒｏｒ  Ｒａｔｉｏ）等の他の指標に応じて表示態様を異ならせて通信状況を報知するように構成されていてもよい。
【００７１】
実施形態２．
次に、本発明の第２の実施形態の信号処理装置について、図面を参照して説明する。図５は、本発明の第２の実施形態の信号処理装置２０の構成例を示すブロック図である。
【００７２】
図５に示すように、本発明の第２の実施形態の信号処理装置２０は、復号部（復号手段）２２と、情報提供部（情報提供手段）２６とを含む。
【００７３】
復号部２２は、例えば、第１の実施形態におけるＬＤＰＣ復号処理部２２０に相当する。また、情報提供部２６は、例えば、第１の実施形態における表示部２２６に相当する。
【００７４】
復号部２２は、入力された復号対象のデータに復号処理を施して第１の処理結果と第２の処理結果とを算出する。
【００７５】
情報提供部２６は、復号部２２による復号処理による第１の処理結果に応じて通信状況を示す情報を提供する。
【００７６】
また、第１の処理結果は、第２の処理結果と比べて、より早く通信状況の悪化に反応する。
【００７７】
そして、第２の処理結果は、第１の処理結果と比べて、より高い能力の誤り訂正処理が施された結果であり、データの復号結果として用いられる。
【００７８】
本実施形態によれば、復号部２２が、第１の処理結果と第２の処理結果とを算出する。そして、情報提供部２６が、第２の処理結果と比べて、より早く通信状況の悪化に反応する第１の処理結果に応じて通信状況を示す情報を提供する。また、第２の処理結果は、第１の処理結果と比べて、より高い能力の誤り訂正処理が施された結果であり、データの復号結果として用いられる。
【００７９】
したがって、より高い能力の誤り訂正処理が施された結果である第２の処理結果を生成しつつ、通信状況の悪化に応じた適切な情報を提供することができる。
【符号の説明】
【００８０】
２０    信号処理装置
２２    復号部
２６    情報提供部
１００    送信機
１１０    送信制御部
１３０    送信高周波部
２００    受信機
２１０    受信制御部
２１１    直交復調処理部
２１２    ガードインタバル除去処理部
２１３    ＦＦＴ処理部
２１４    等化処理部
２１５    時間デインタリーブ処理部
２１６    周波数デインタリーブ処理部
２１７    ＬＬＲ算出部
２１８    デマッピング処理部
２１９    ビットデインタリーブ処理部
２２０    ＬＤＰＣ復号処理部
２２１    エネルギー逆拡散処理部
２２２    ＢＣＨ復号処理部
２２３    簡易デスクランブル処理部
２２４    ＴＳパケット抽出処理部
２２５    ビット誤り率算出部
２２６    表示部
２２７    表示領域
２３０    受信高周波部
３１１    送信用アンテナ
３２１    受信用アンテナ
５００    復号器
【図１】
2019140461.tif 000003
【図２】
2019140461.tif 000004
【図３】
2019140461.tif 000005
【図４】
2019140461.tif 000006
【図５】
2019140461.tif 000007